(57)【要約】      （修正有）【課題】電気加熱部を内蔵すると共に、表面に焼きプレート面を備えた２個の加熱本体を備え、加熱本体の一側縁をヒンジ連結して焼きプレート面を対面させて挟み焼き調理を行うホットサンドメーカーにおいて、挟み焼き調理の他にプレート調理（鉄板焼き調理）及び鍋調理を１台で実施できるホットサンドメーカーを提供する。【解決手段】加熱本体を閉口した状態で対向する焼きプレート面で挟み調理を可能とした皿状のプレート体を着脱自在に設けると共に、プレート体に換えて装着可能な適宜な深さを備えた鍋体３を備え、プレート体と鍋体３を選択的に装着して、所望の調理を行う。【選択図】図１
0003209617.tif 000002
【実用新案登録請求の範囲】
【請求項１】
電気加熱部を内蔵すると共に、表面に焼きプレート面を備えた２個の加熱本体を備え、加熱本体の一側縁をヒンジ連結して焼きプレート面を対面させて挟み焼き調理を行うホットサンドメーカーにおいて、加熱本体を閉口した状態で対向する焼きプレート面で挟み調理を可能とした皿状のプレート体を着脱自在に設けると共に、当該プレート体に替えて装着可能な適宜な深さを備えた鍋体を備え、プレート体と鍋体を選択的に装着してなることを特徴とするホットサンドメーカー。
【請求項２】
加熱本体におけるプレート体の装着個所を嵌合凹部に形成し、当該装着個所の嵌合凹部側面の一方に係止孔を穿設し、他方側面に突出付勢した係止部を設け、プレート体及び鍋体の所定位置に前記係止孔及び係止部に対応する係止突起を設けてなる請求項１記載のホットサンドメーカー。
【請求項３】
ヒンジ連結箇所において、加熱本体の直立回動時における回動軸中心が上下動可能に設けると共に、直立状態の加熱本体に前記上下動に対応して開口回動阻止並びに解除をなすストッパー部を設けてなる請求項１又は２記載のホットサンドメーカー。
【請求項４】
一方の加熱本体に脚部を設け、他方加熱本体の開口端側に回動掛け止めレバーを設けると共に、前記掛け止めレバーを、両加熱本体を開口した際に両加熱本体が水平状態となる脚機能を奏する長さに形成してなる請求項１乃至３記載の何れかのホットサンドメーカー。
【請求項５】
加熱本体の電気加熱部に対して選択的通電を行うスイッチ部を設けてなる請求項１乃至４記載の何れかのホットサンドメーカー。
【考案の詳細な説明】
【技術分野】
【０００１】
本考案は、ホットサンドメーカーに関するものである。
【背景技術】
【０００２】
ホットサンドメーカーは周知のとおり、電気加熱部を内蔵すると共に、表面に焼きプレートを備えた２個の加熱本体を、一側縁をヒンジ連結して焼きプレート面を対面させる構成を備え、サンドイッチを挟持して加熱調理（挟み焼き調理）を行うものである（特許文献１，２）。
【０００３】
特に特許文献１には、前記の挟み焼き調理の他に、加熱本体を開口して２個の焼きプレート面上での加熱調理（プレート調理）を可能としている器具が開示されている。
【先行技術文献】
【特許文献】
【０００４】
【特許文献１】登録実用新案３０６４７８３号公報。
【特許文献２】登録実用新案３２０１０８３号公報。
【考案の概要】
【考案が解決しようとする課題】
【０００５】
挟み焼き調理を目的としたホットサンドメーカーは、加熱本体を対向させた際に調理対象物（サンドイッチ）を閉口した加熱本体内に全てを収納状態とするために、焼きプレート面が浅い凹部に形成されている。このため特許文献１に開示されたように加熱本体を開口状態で使用する場合にも、浅い凹部での加熱調理となり、液体量（汁）の多い鍋物調理等には不適当である。
【０００６】
そこで本考案は、鍋調理も適切に行うことができる新規構造のホットサンドメーカーを提案したものである。
【課題を解決するための手段】
【０００７】
本考案の請求項１記載に係るホットサンドメーカーは、電気加熱部を内蔵すると共に、表面に焼きプレート面を備えた２個の加熱本体を備え、加熱本体の一側縁をヒンジ連結して焼きプレート面を対面させて挟み焼き調理を行うホットサンドメーカーにおいて、加熱本体を閉口した状態で対向する焼きプレート面で挟み調理を可能とした皿状のプレート体を着脱自在に設けると共に、当該プレート体に換えて装着可能な適宜な深さを備えた鍋体を備え、プレート体と鍋体を選択的に装着してなることを特徴とするものである。
【０００８】
而して皿状のプレート体を装着した状態では、一般の器具と同様にサンドイッチの挟み焼き調理が可能であり、加熱本体を開口状態とし、プレート体に替えて鍋体を装着すると、例えば「しゃぶしゃぶ料理」「すき焼き鍋」等の汁量の多い鍋調理が可能となるものである。
【０００９】
また本考案の請求項２記載に係るホットサンドメーカーは、特に加熱本体におけるプレート体の装着個所を嵌合凹部に形成し、当該装着個所の嵌合凹部側面の一方に係止孔を穿設し、他方側面に突出付勢した係止部を設け、プレート体及び鍋体の所定位置に前記係止孔及び係止部に対応する係止突起を設けてなるもので、プレート体及び鍋体の各装着に際しては、係止孔に係止突起を挿入して嵌合凹部に嵌め込み、係止部の突出係止でプレート体及び鍋体が加熱本体から離脱することを防止して、安全に使用できるようにしたものである。
【００１０】
また本考案の請求項３記載に係るホットサンドメーカーは、特にヒンジ連結箇所において、一方の加熱本体（対向加熱本体）の直立回動時における回動軸中心が上下動可能に設けると共に、直立状態の対向加熱本体に前記上下動に対応して開口回動阻止並びに解除をなすストッパー部を設けてなるもので、対向加熱本体の直立維持が可能となるので、対向加熱本体の開口操作において、一旦直立状態となった後の二段回操作となり、安全性が高められ、且つホットサンド調理時には、水平加熱本体にのみに調理対象物を載置するので、直立状態の対向加熱本体の操作が簡易になり操作性も向上する。
【００１１】
また本考案の請求項４記載に係るホットサンドメーカーは、一方の加熱本体（載置加熱本体）に脚部を設け、他方加熱本体（対向加熱本体）の開口端側に回動掛け止めレバーを設けると共に、前記掛け止めレバーを、両加熱本体を開口した際に両加熱本体が水平状態となる脚機能を奏する長さに形成してなるもので、掛け止めレバーが脚兼用となるもので対向加熱本体の表面（外面）に脚部を突設する必要が無く、閉口時には従前のホットサンドメーカーと同様の外観を呈することになる。
【００１２】
また本考案の請求項５記載に係るホットサンドメーカーは、加熱本体の電気加熱部に対して選択的通電を行うスイッチ部を設けてなることで、調理鍋を装着しての使用に際して、加熱本体の選択通電が可能となる。
【考案の効果】
【００１３】
本考案の構成は上記のとおりで、通常のホットサンド調理の他にも鍋調理を可能として、器具の用途を拡大したものである。
【図面の簡単な説明】
【００１４】
【図１】本考案の使用状態の斜視図（鍋使用時）。
【図２】同正面図。
【図３】同加熱本体の斜視図。
【図４】同閉口時の斜視図。
【図５】同使用状態の斜視図（プレート体使用時）。
【図６】同対向加熱本体起立状態の正面図。
【図７】同ストッパー部の説明図。
【図８】同プレート体の装着説明図。
【考案を実施するための形態】
【００１５】
次に本考案の実施形態について説明する。実施形態に示したホットサンドメーカーは、その基本構成は従前の器具のとおりであり、特に加熱調理部となるプレート部分を独立部材としたもので、ヒンジ連結した加熱本体（載置加熱本体１Ａ，対向加熱本体１Ｂ）と、２個のプレート体２と、２個の鍋体３と、２個の蓋体４で構成される。
【００１６】
加熱本体１Ａ，１Ｂは、一側縁をヒンジ部１１で連結して開閉自在としたもので、閉口時にヒンジ部１１と反側縁に持ち手１２が形成される透孔１２１を形成し、対向面にプレート体２又は鍋体３の形状と対応する嵌合凹部１３を形成し、嵌合凹部１３の底面には更に凹部空間１３１を設け、凹部空間１３１内に電気加熱部１４を配置したもので、前記電気加熱部１４に電気を供給するための電源接続プラグ（図示せず）、及び通電制御を行う通電スイッチ１４１を備えてなる。尚通電スイッチ１４１は、各加熱本体１Ａ，１Ｂに各別に通電する２個のスイッチを設けても良い。
【００１７】
前記嵌合凹部１３の一方の凹部側面１３２に係止孔１３３を設けると共に、前記係止孔１３３の対応する凹部側面上縁に、突出付勢した係止部１３４を設ける。
【００１８】
ヒンジ部１１には、図７に例示するように対向加熱本体１Ｂが直立状態時に、対向加熱本体１Ｂが僅かに上下動する事ができるようなヒンジ軸１１１及び軸孔１１２を形成すると共に、対向加熱本体１Ｂの前記上下動範囲長内でヒンジ部１１の外周面から突出するストッパー部１１３を設ける。
【００１９】
載置加熱本体１Ａの底面には、テーブル上（調理台上）で水平に維持される脚部１５を設け、対向加熱本体１Ｂの開口端側に掛け止めレバー１６を回動自在に設けると共に、載置加熱本体１Ａに掛け止めレバー１６が掛け止めされる受部１６１を設けて閉口時の掛け止めを行い、特に掛け止めレバー１６は、開口時に回動して対向加熱本体１Ｂが載置加熱本体１Ａと同一高さ（水平状態）となる脚機能を奏する長さに形成する。
【００２０】
プレート体２は、嵌合凹部１３と外形及び高さが対応する皿状の加熱板（金属板）で、サンドイッチの挟み焼き調理に対応する凹部２１及び仕切り部２２で仕切られ、外周面には係止孔１３３及び係止部１３４に対応する係止突起２３を設ける。
【００２１】
鍋体３は、嵌合凹部１３と外形と対応するが、嵌合凹部１３の段差以上の高さを備えた容器状でプレート体２と同様の係止突起を設けてなる。また蓋体４は、前記鍋体３に被冠できる大きさに形成したものである。
【００２２】
而して前記のホットサンドメーカーは、加熱本体１Ａ，１Ｂにプレート体２又は鍋体３を選択的に装着して使用するもので、通常のホットサンドメーカーとしてサンドイッチの挟み焼き調理を行う場合には、開口状態の加熱本体１Ａ，１Ｂ（図３）の各々の嵌合凹部１３にプレート体２を装着する。
【００２３】
この装着は、プレート体２の係止突起２３を係止孔１３３に差し入れ、係止部１３４を後退させてプレート体２を嵌合凹部１３に嵌め込み、他方側の係止突起２３の上方に係止部１３４を突出させ、加熱本体１Ａ，１Ｂとプレート体２を一体化するものである。この係止部１３４の先端部分を、プレート体２の係止突起２３による上方からの押圧で後退する傾斜面に形成しておくと、係止突起２３を係止孔１３３に差し入れたままでプレート体２を押し込むと、容易に装着することができる。
【００２４】
そして従前のとおり載置加熱本体１Ａのプレート体２に調理対象物（サンドイッチ）を載置し、対向加熱本体１Ｂを回動して閉口し、掛け止めレバー１６による掛け止めを行った後、所定時間通電することで挟み焼き調理が行われる。
【００２５】
調理終了後は、掛け止めレバー１６の掛け止めを解除して対向加熱本体１Ｂを開口するが、対向加熱本体１Ｂが直立状態でヒンジ部１１においてストッパー部１１３が係止状態となり（図５参照）、調理済み食品を取り出す。
【００２６】
このように対向加熱本体１Ｂが全開することないので、ホットサンド調理（挟み焼き調理）には、器具の場所を取らずにコンパクトな操作で行うことができる。勿論後述する鍋調理と同様に使用してのプレート調理（所謂鉄板焼き調理）も可能であることは言うまでもない。
【００２７】
次に本考案の最大の特徴は、ホットサンド調理（挟み焼き調理）以外の使用であり、プレート体２の装着に替えて鍋体３を装着して使用するものである。
【００２８】
鍋体３の装着は、プレート体２同様に鍋体３に設けた係止突起を係止孔１３３と係止部１３４に係止させて装着するもので、両加熱本体１Ａ，１Ｂを全開状態と、掛け止めレバー１６を回動して対向加熱本体１Ｂの脚として作用するように全回動すると、図２に示すように両加熱本体１Ａ，１Ｂは卓上で水平に維持される。
【００２９】
そこで通電による加熱で鍋体３を使用した鍋調理が可能となり、適宜蓋体４を被冠して調理を行うものである。
【００３０】
以上のように本考案は、挟み焼き調理と鉄板焼き調理と鍋調理を１個の器具で実施できる便利な器具を提供したものである。
【符号の説明】
【００３１】
１Ａ    載置加熱本体
１Ｂ    対向加熱本体
１１    ヒンジ部
１１１  ヒンジ軸
１１２  軸孔
１１３  ストッパー部
１２    持ち手
１２１  透孔
１３    嵌合凹部
１３１  凹部空間
１３２  凹部側面
１３３  係止孔
１３４  係止部
１４    電気加熱部
１４１  通電スイッチ
１５    脚部
１６    掛け止めレバー
１６１  受部
２      プレート体
２１    凹部
２２    仕切り部
２３    係止突起
３      鍋体
４      蓋体
【図１】
0003209617.tif 000003
【図２】
0003209617.tif 000004
【図３】
0003209617.tif 000005
【図４】
0003209617.tif 000006
【図５】
0003209617.tif 000007
【図６】
0003209617.tif 000008
【図７】
0003209617.tif 000009
【図８】
0003209617.tif 000010